(57)【要約】【課題】被写体の動作に応じて撮影条件を変更可能な撮像装置、撮像システム、その制御方法及びプログラムを提供すること。【解決手段】情報処理装置の動作を検知し、検知した動作の情報に応じて撮影条件を決定し、撮像することにより画像データを取得し、決定された撮影条件に応じた撮影結果としての画像データを表示画面に表示する。 【選択図】図５ａ
2014093669.tif 000002
【特許請求の範囲】
【請求項１】
撮像装置と、前記撮像装置に撮像開始の指示をする機能を有する情報処理装置と、が通信可能に接続された撮像システムであって、
前記情報処理装置のモーションの情報を検知するモーション検知手段と、
前記モーション検知手段で検知したモーション情報に応じた撮影条件を決定する撮影条件決定手段と、
前記撮影条件決定手段で決定した撮影条件に応じた撮影結果の情報を取得する撮影結果情報取得手段と、
前記撮影結果情報取得手段で取得した撮影結果の情報を表示画面に表示する表示手段と、
を備えることを特徴とする撮像システム。
【請求項２】
前記モーション検知手段は、前記情報処理装置が移動した速度の情報を前記モーション情報として検知することを特徴とする請求項１に記載の撮像システム。
【請求項３】
前記モーション検知手段は、前記情報処理装置が移動した距離の情報を前記モーション情報として検知することを特徴とする請求項１又は２に記載の撮像システム。
【請求項４】
前記撮影条件決定手段は、前記モーション検知手段で検知したモーション情報に基づいて、前記撮影条件における撮影間隔の値を決定することを特徴とする請求項１乃至３のいずれか１項に記載の撮像システム。
【請求項５】
前記撮影条件決定手段は、前記モーション検知手段で検知したモーション情報に基づいて、前記撮影条件におけるシャッター速度の値を決定することを特徴とする請求項１乃至４のいずれか１項に記載の撮像システム。
【請求項６】
前記撮影条件決定手段で決定した撮影条件を用いて撮影を実行する撮影手段と、
を備え、
前記撮影結果情報取得手段は、前記撮影手段で撮影した画像データを前記撮影結果情報として取得し、
前記表示手段は、前記撮影手段で撮影した画像データを、前記撮影結果情報として前記表示画面に表示することを特徴とする請求項１乃至５のいずいれか１項に記載の撮像システム。
【請求項７】
被写体の撮影を実行する第１の撮影手段と、
を備え、
前記撮影結果情報取得手段は、前記第１の撮影手段で撮影した画像データの画像の中から、前記撮影条件に応じた画像データを選択して取得し、
前記表示手段は、前記取得手段により、前記第１の撮影手段で撮影した画像データの中から選択して取得された画像データを、前記撮影結果情報として前記表示画面に表示することを特徴とする請求項１乃至６のいずいれか１項に記載の撮像システム。
【請求項８】
前記撮影条件決定手段で決定した撮影条件を用いて撮影を実行する第２の撮影手段と、
を備え、
前記撮影結果情報取得手段は、前記第２の撮影手段で撮影した画像データを前記撮影結果情報として取得し、
前記表示手段は、前記第２の撮影手段で撮影した画像データを、前記撮影結果情報として前記表示画面に表示することを特徴とする請求項１乃至６のいずいれか１項に記載の撮像システム。
【請求項９】
前記撮影条件決定手段は、前記モーション検知手段で検知したモーション情報に対応する撮影条件を、前記モーション検知手段で検知したモーション情報に応じた撮影条件として選択して決定することを特徴とする請求項１乃至８のいずれか１項に記載の撮像システム。
【請求項１０】
前記モーション検知手段で検知したモーション情報に基づいて、前記撮影条件に含まれる数値を算出する算出手段と、
を備え、
前記撮影条件決定手段は、前記算出手段で算出した前記数値を含む撮影条件を、前記モーション検知手段で検知したモーション情報に応じた撮影条件として決定することを特徴とする請求項１乃至９のいずれか１項に記載の撮像システム。
【請求項１１】
前記情報処理装置は、
前記撮影結果情報取得手段で取得する撮影結果としての画像データを特定する特定手段と、
前記特定手段で特定した画像データを前記撮像装置に要求する画像データ要求手段と、
を備え、
前記撮像装置は、
前記画像データ要求手段において要求された画像データを、前記撮影結果情報として前記情報処理装置の表示画面に表示させるべく送信する画像データ送信手段と、
を備えることを特徴とする請求項１乃至１０のいずれか１項に記載の撮像システム。
【請求項１２】
撮像装置と、前記撮像装置に撮像開始の指示をする機能を有する情報処理装置と、が通信可能に接続された撮像システムであっての制御方法であって、
検知手段が、前記情報処理装置のモーションの情報を検知するモーション検知工程と、
撮影条件決定手段が、前記モーション検知工程で検知したモーション情報に応じた撮影条件を決定する撮影条件決定工程と、
撮影結果情報取得手段が、前記撮影条件決定工程で決定した撮影条件に応じた撮影結果の情報を取得する撮影結果情報取得工程と、
表示手段が、前記撮影結果情報取得工程で取得した撮影結果の情報を表示画面に表示する表示工程と、
を含むことを特徴とする撮像システムの制御方法。
【請求項１３】
撮像装置と、前記撮像装置に撮像開始の指示をする機能を有する情報処理装置と、が通信可能に接続された撮像システムで実行が可能なプログラムであって、
前記撮像システムを、
前記情報処理装置のモーションの情報を検知するモーション検知手段と、
前記モーション検知手段で検知したモーション情報に応じた撮影条件を決定する撮影条件決定手段と、
前記撮影条件決定手段で決定した撮影条件に応じた撮影結果の情報を取得する撮影結果情報取得手段と、
前記撮影結果情報取得手段で取得した撮影結果の情報を表示画面に表示する表示手段として機能させることを特徴とする撮像システムのプログラム。
【請求項１４】
被写体のモーションの情報を検知するモーション検知手段と、
前記モーション検知手段で検知したモーション情報に応じた撮影条件を決定する撮影条件決定手段と、
前記撮影条件決定手段で決定した撮影条件に応じた撮影結果の情報を取得する撮影結果情報取得手段と、
前記撮影結果情報取得手段で取得した撮影結果の情報を表示画面に表示すべく制御する表示制御手段と、
を備えることを特徴とする撮像装置。
【請求項１５】
被写体のモーションの情報を検知するモーション検知手段と、
前記モーション検知手段で検知したモーション情報に応じた撮影条件を決定する撮影条件決定手段と、
前記撮影条件決定手段で決定した撮影条件に応じた撮影結果の情報を要求する要求手段と、
前記要求手段で要求することにより取得した撮影結果の情報を表示画面に表示すべく制御する表示制御手段と、
を備えることを特徴とする情報処理装置。
【発明の詳細な説明】
【技術分野】
【０００１】
撮像装置、撮像システム、情報処理装置、その制御方法及びプログラムに関する
【背景技術】
【０００２】
近年、被写体を撮像して静止画像、動画像として記録するデジタルカメラ、ビデオカメラ等が普及している。更に、これらの装置を用いて、例えばゴルフ、野球等におけるスイング、モーションの記録、記録した画像の合成、閲覧をすることが広く行われている。
【０００３】
しかし、例えばスイングを実行するユーザ自らがカメラに対して撮影（撮像）指示を行い、撮影された画像から合成対象の画像を選択することは、撮影に不慣れな使用者や初心者にとっては難く、手間である。これに対し、例えばインパクト音等の特定音の検出タイミングに基づいて、記録済の連続撮影された画像データから、一連の動作（スイングの動作）として抽出して合成する画像を、インパクト音前後の時間の情報を用いて特定し、１つの画像として合成する技術が公開されている（例えば、特許文献１）。
【先行技術文献】
【特許文献】
【０００４】
【特許文献１】特開２０１１−１０９５５７号公報
【０００５】
しかし、特許文献１に記載の技術では、単一の撮影条件（撮影間隔やシャッター速度）による撮影を行うため、インパクト音発生時前後の所定の時間のスイングの様子を撮影結果として抽出したとしても、スイングスピードやスイングの距離に対し撮影間隔が長すぎれば、合間の動作が抜け落ちた不連続な画像となってしまうし、逆に、スイングスピードやスイングの距離に対し撮影間隔が短すぎれば、同じ場面ばかりを撮影してしまい、ユーザにとって閲覧を希望する場面を探すことが面倒である。
【発明の概要】
【発明が解決しようとする課題】
【０００６】
本発明は、被写体の動作に応じて撮影条件を変更可能な撮像装置、撮像システム、その制御方法及びプログラムを提供することを目的とする。
【課題を解決するための手段】
【０００７】
本発明の撮像システムは、撮像装置と、前記撮像装置に撮像開始の指示をする機能を有する情報処理装置と、が通信可能に接続された撮像システムであって、前記情報処理装置のモーションの情報を検知するモーション検知手段と、前記モーション検知手段で検知したモーション情報に応じた撮影条件を決定する撮影条件決定手段と、前記撮影条件決定手段で決定した撮影条件に応じた撮影結果の情報を取得する撮影結果情報取得手段と、前記撮影結果情報取得手段で取得した撮影結果の情報を表示画面に表示する表示手段と、を備えることを特徴とする。
【０００８】
本発明の撮像装置は、前記情報処理装置のモーションの情報を検知するモーション検知手段と、
前記モーション検知手段で検知したモーション情報に応じた撮影条件を決定する撮影条件決定手段と、前記撮影条件決定手段で決定した撮影条件に応じた撮影結果の情報を取得する撮影結果情報取得手段と、前記撮影結果情報取得手段で取得した撮影結果の情報を表示画面に表示すべく制御する表示制御手段と、を備えることを特徴とする。
【発明の効果】
【０００９】
本発明によれば、被写体の動作に応じて撮影条件を変更可能な撮像装置、撮像システム、その制御方法及びプログラムを提供することが出来る。
【図面の簡単な説明】
【００１０】
【図１】本発明の実施形態における撮像システムの構成の一例を示すシステム構成図である。
【図２】本発明の実施形態における、携帯端末１０１に適用可能な装置のハードウェア構成を示すブロック図である。
【図３】本発明の実施形態における、撮像装置１０３に適用可能な装置のハードウェア構成を示すブロック図である。
【図４】本発明の実施形態における、撮像システムの各種装置機能構成の一例を示す機能ブロック図である。
【図５ａ】本発明の第１の実施形態における、携帯端末１０１および撮像装置１０３の処理の一例を示すフローチャートである。
【図５ｂ】本発明の第１の実施形態における、携帯端末１０１および撮像装置１０３の処理の一例を示すフローチャートである。
【図６ａ】本発明の第２の実施形態における、携帯端末１０１および撮像装置１０３の処理の一例を示すフローチャートである。
【図６ｂ】本発明の第２の実施形態における、携帯端末１０１および撮像装置１０３の処理の一例を示すフローチャートである。
【図７】本発明の実施形態における、携帯端末１０１におけるガイド画面の構成の一例を示す図である。
【図８】本発明の実施形態における、携帯端末１０１における撮像結果画面の構成の一例を示す図である。
【図９】本発明の実施形態における、撮影条件設定画面の構成の一例を示す図である。
【図１０】本発明の実施形態における、撮影条件情報の構成の一例を示す図である。
【図１１】本発明の実施形態における、撮影条件リストの構成の一例を示す図である。
【図１２】本発明の実施形態における、撮影条件算出方法の一例を示す図である。
【図１３】本発明の実施形態における、画像データ抽出方法の一例を示す図である。
【発明を実施するための形態】
【００１１】
以下、図面を参照して、本発明の実施形態を詳細に説明する。図１は、本発明の実施形態における撮像システムの構成の一例を示すシステム構成図である。
【００１２】
以下説明する本発明の実勢形態における撮像システムにおいては、携帯端末１０１をスイングする媒体（バット、ゴルフクラブ等）の代替物としてスイングし、当該スイングの様子を、撮像装置１０３が撮像する形態を取るものとする。
【００１３】
本発明の撮像システムは、携帯端末１０１（請求項における情報処理装置）および撮像装置１０３が無線ＬＡＮ（ローカルエリアネットワーク）１０２を介して通信可能に接続された構成となっている。尚、無線ＬＡＮ１０２の規格は問わない。また、この部分をＢｌｕｅｔｏｏｔｈ（登録商標）のような短距離無線通信や有線による通信に置き換えた構成であってもよい。
【００１４】
携帯端末１０１は、位置センサおよび速度センサを備え、当該携帯端末１０１のＣＰＵ２０１（図２の説明で後述）は、当該携帯端末１０１の現時点の位置（位置情報）および速度（速度情報）を取得し、撮影パラメータ（撮影条件／シャッター速度、撮像枚数等）を算出する算出処理を行う。
【００１５】
尚、当該算出処理を撮像装置において実行するようにしてもよい。この場合、携帯端末１０１のＣＰＵ２０１は、当該携帯端末１０１の現時点の位置および速度の情報を撮像装置１０３に送信し、撮像装置１０３はこれを受信して、当該位置および速度の情報を用いて前記撮影条件の算出処理を行う。
【００１６】
また、ここでは、撮影条件の算出を逐次行い、撮像処理を実行する構成としているが、例えば、前記速度情報、携帯端末の移動距離の情報に応じた撮影条件を予め撮像装置１０３の外部メモリ、携帯端末１０１の外部メモリ等の記憶領域に記憶しておき、撮像装置１０３のＣＰＵが当該外部メモリに記憶された、乃至、携帯端末１０１から受信した当該撮影条件を読みだすことにより、撮影条件を決定するようにしてもよい。
【００１７】
撮像装置１０３は、指定された撮影条件（撮像パラメータ）およびタイミングに基づいて被写体を撮影、または撮影結果を抽出（撮影結果情報取得手段に該当）する処理をおこなう。以上が図１の、本発明の実施形態における撮像システムの構成の一例についての説明である。
【００１８】
次に図２を参照して、本発明の実施形態における、携帯端末１０１に適用可能な装置のハードウェア構成の一例について説明する。図２は、本発明の実施形態における、携帯端末１０１に適用可能な装置のハードウェア構成を示すブロック図である。
【００１９】
図２において、２０１はＣＰＵ（ＣＰＵ２０１）で、システムバス２０４にせつぞくしているデバイスやコントローラを統括的に制御する。また、ＲＯＭ２０２には、ＣＰＵ２０１の制御プログラムであるＢＩＯＳ（Ｂａｓｉｃ  Ｉｎｐｕｔ／Ｏｕｔｐｕｔ  Ｓｙｓｔｅｍ）、オペレーティングシステムプログラム（以下、ＯＳ）、携帯端末が機能を実現するために必要なプログラム等を記憶している。
【００２０】
ＲＡＭ２０３は、ＣＰＵ２０１の主メモリ、ワークエリア等として機能する。ＣＰＵ２０１は処理の実行に際して必要なプログラム等をＲＯＭ２０２からＲＡＭ２０３にロードして、該ロードしたプログラムを実行することで動作を実現する。
【００２１】
入力コントローラ２０５は、センサ２１２、タッチパネル２０９等の入力デバイスからの入力を制御する。尚、タッチパネル２０９をキーボードおよびマウスのような他の入力デバイスに置き換えた構成でもよい。センサ２１２は、例えば速度センサである。
【００２２】
ビデオコントローラ２０６で、ディスプレイ２１０等の表示器への表示を制御する。尚、ディスプレイ２１０をＣＲＴのような他の表示器に置き換えた構成でもよい。
【００２３】
メモリコントローラ２０７は、外部メモリ２１１等の外部記憶装置へのアクセスを制御する。尚、外部メモリ２１１をセキュアデジタル（ＳＤ）カードの他、マルチメディアカード（ＭＭＣ）、ハードディスク（ＨＤ）、フレキシブルディスク（ＦＤ）またはＰＣＭＣＩＡカードスロットにアダプタを介して接続するコンパクトフラッシュ（登録商標）メモリ等に置き換えた構成でもよい。
【００２４】
通信Ｉ／Ｆコントローラ２０８は、ネットワーク（例えば図１に示した無線ＬＡＮ１０２）を介して外部機器と接続・通信するものであり、ネットワークで野通信制御処理を実行する。例えばＴＣＰ／ＩＰを用いた通信等が可能である。この他、携帯端末１０１は、ＧＰＳ機能等の、携帯端末１０１の位置情報を特定するための機能を有する。以上が図２の、本発明の実施形態における、携帯端末１０１に適用可能な装置のハードウェア構成の一例についての説明である。
【００２５】
次に、図３を参照して、本発明の実施形態における、撮像装置１０３に適用可能な装置のハードウェア構成の一例について説明する。図３は、本発明の実施形態における、撮像装置１０３に適用可能な装置のハードウェア構成を示すブロック図である。
【００２６】
図３で、撮像装置１０３は、いわゆるデジタルカメラであり、撮影用のレンズ３０１、撮像素子（以下、「ＣＣＤ」と称する）３０２、カメラ信号処理部（以下、「ＡＤＣ」と称する）３０３、画像処理部３０４、システムコントローラ３１０、バッファメモリ３１１、フラッシュＲＯＭ３１２、インターフェース回路（以下、「Ｉ／Ｆ回路」と称する）３１３、カードホルダ３１４、メモリカード３１５、ディスプレイドライバ３１６、および操作部３２０を備える。
【００２７】
レンズ３０１は、レンズ等であり、対物レンズ、ズームレンズ、およびフォーカスレンズなどで構成される。ズームレンズおよびフォーカスレンズについては、不図示の駆動機構により光軸方向へ駆動される。撮像素子３０２は、レンズ３０１から入射した撮像光を結像し、電気信号（アナログ信号）に変換して出力するＣＣＤイメージセンサで構成される。
【００２８】
カメラ信号処理部（ＡＤＣ）３０３は、撮像素子３０２から受けた電気信号にデジタル変換やホワイトバランス調整などの信号処理を行なって、デジタル信号に変換する機能を有する。システムコントローラ３１０は、画像処理部３０４、バッファメモリ３１１、フラッシュＲＯＭ３１２、Ｉ／Ｆ回路３１３、ディスプレイドライバ３１６、サウンドドライバ３１８、ＬＥＤドライバ３２８、および操作部３２０に接続されている
【００２９】
画像処理部３０４は、前処理部３０５、ＹＣ処理部３０６、電子ズーム処理部３０７、圧縮部３０８、および伸長部３０９を備え、カメラ信号処理部３０３から出力されるデジタル信号から画像データを生成し、各種画像処理を行う機能を有する。
【００３０】
前処理部３０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部３０５は、ホワイトバランス処理およびガンマ補正処理以外の画像処理を実行することも可能である。
【００３１】
ＹＣ処理部３０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部３０７は、画像の一部（例えば中央部）を所定の大きさでトリミングし、トリミングした画像を信号処理で元画像の大きさに拡大する機能を有する。電子ズーム処理部３０７は、例えば、撮影された１６００×３２００ドットの画像から中央の３０２４×７６８ドットの画像を切り出し、データ補間を行いながら１６００×３２００ドットのサイズに拡大することができる。
【００３２】
圧縮部３０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部３０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００３３】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部３０８および伸長部３０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００３４】
バッファメモリ３１１には、画像処理部３０４で画像処理が行われる際に、一時的に画像データが保存される。フラッシュＲＯＭ３１２には、撮影装置の各種設定情報や、後述するユーザ認証情報が保存される。Ｉ／Ｆ回路３１３は、システムコントローラ３１０から出力される画像データを、メモリカード３１５に記録可能なデータ形式に変換する。また、Ｉ／Ｆ回路３１３は、メモリカード３１５から読み出された画像データ等を、システムコントローラ３１０で処理可能なデータ形式に変換する。
【００３５】
カードホルダ３１４は、記録媒体であるメモリカード３１５を撮影装置に着脱可能にする機構を備えると共に、メモリカード３１５との間でデータ通信が可能な電気接点を備える。また、カードホルダ３１４は、撮影装置で利用される記録媒体の種類に応じた構造を有する。メモリカード３１５は、フラッシュメモリなどの半導体記憶素子を内蔵し、カードホルダ３１４に着脱可能なカード型の記録媒体である。メモリカード３１５には、撮影装置で撮影された画像データを記録することができる。
【００３６】
ディスプレイドライバ３１６は、システムコントローラ３１０から出力される画像データを液晶ディスプレイ３１７で表示可能な信号に変換する。具体的には、ディスプレイドライバ３１６は、システムコントローラ３１０から出力されるデジタルの画像データをアナログ画像信号に変換する処理を行い、次に画像サイズを液晶ディスプレイ３１７の表示可能エリアのサイズに適したサイズに変換する処理を行う。
【００３７】
サウンドドライバ３１８は、システムコントローラ３１０から出力される音声データをスピーカ２１９で鳴動可能な信号に変換する処理を行う。ＬＥＤ（Ｌｉｇｈｔ  Ｅｍｉｔｔｉｎｇ  Ｄｉｏｄｅ）ＬＥＤドライバ３２８は、システムコントローラ３１０から出力される命令に従いランプ３２９の制御を行う。
【００３８】
操作部３２０は、電源スイッチ３２１、モードダイヤル３２２、撮影ボタン３２３、カーソルキー３２４、ズームボタン３２５、および閲覧（再生）ボタン３２６を備え、ユーザからの操作入力を受け付けて、操作内容に応じた信号をシステムコントローラ３１０に出力する。なお、操作部３２０には、図示の操作ボタン以外の操作ボタン類も含まれるが、それらの説明は省略する。
【００３９】
モードダイヤル（選択ボタン）３２２は、撮影動作のモードを切り替えるための回転可能なダイヤルである。ユーザはモードダイヤル３２２を操作することで、複数の撮影動作モードを選択することが可能である。なお、本発明の実施形態で、モードダイヤルは、ダイヤル式機構として記載をするが、例えば、ダイヤルではなくスライド式のボタンであってもよい。つまり、モードダイヤル３２２について、その機構はダイヤルに限定されず、カメラのモードを切り替えられるための機構を備えていることが本質である。
【００４０】
閲覧ボタン３２６は、撮影した画像データを閲覧する閲覧モード（再生モード）に切り替えるためのボタンである。閲覧ボタン３２６が押下されると、撮影モードから閲覧モードに移行する。なお、閲覧モードへの切替方法については、閲覧ボタン３２６の押下に限定されず、液晶ディスプレイ３１７上のタッチパネル（不図示）などによる移行方法であってもよい。
【００４１】
閲覧モードでは、システムコントローラ３１０が、Ｉ／Ｆ回路３１３を介して、カードホルダ３１４に装着されているメモリカード３１５から設定情報と画像データを読み出す。設定情報は、現在装着されているメモリカード３１５に記録されている画像の枚数および記録されている画像データの容量などである。読み出される画像データは、例えば、画像１枚分の画像データまたはサムネイルデータである。なお、メモリカード３１５から読み出される画像データは、上述したように所定の圧縮形式で圧縮されている。
【００４２】
メモリカード３１５から読み出された画像データは、Ｉ／Ｆ回路３１３およびシステムコントローラ３１０を介して、ディスプレイドライバ３１６へ入力される。ディスプレイドライバ３１６は、入力された画像データを液晶ディスプレイ３１７に表示させる。
【００４３】
カーソルキー３２４は、ユーザが撮影装置に対する所定の指示や機能選択を行うためのキーである。ユーザは、カーソルキー３２４により、撮影装置に対する各種設定情報やユーザ認証情報などの操作入力を行うことができる。また、カーソルキー３２４により、液晶ディスプレイ３１７にメニュー画面を表示させたり、撮影装置が有する所定の機能を選択することができる。さらに、カーソルキー３２４により、撮影装置で撮影された画像データを液晶ディスプレイ３１７上にプレビュー表示させることができる。プレビュー表示とは、撮像装置１０３で撮影した画像を、その直後に液晶ディスプレイ３１７に表示させる機能である。
【００４４】
なお、プレビュー表示については、液晶ディスプレイ３１７上に撮影した画像を１枚のみ表示する構成に限定されず、サムネイル画像を含む複数の画像を表示するように構成してもよい。また、プレビュー表示の切り替えについては、カーソルキー３２４の押下に限らず、他のボタンの押下などの一般的な方法を利用して切り替えられる構成にしてもよい。また、プレビュー表示画面で、プレビュー表示画像の削除や編集などが行えるように構成してもよい。
【００４５】
レンズ制御部３２７は、レンズ３０１のレンズに対して、ズーム、フォーカス、絞り等の制御を行う。また、撮影装置は、被写体を撮像して画像データを得る撮影モードと当該撮影モードで得た画像データを表示する閲覧（再生）モードとを備える。
【００４６】
なお、音声についてはマイクやスピーカを用いることで、撮像装置と同様に記録、及び再生が可能である。また、映像（動画）記録時には、通常音声記録も同時に行われ、圧縮部３０８および伸長部３０９で、映像と音声が多重化される。
【００４７】
また、撮像装置１０３における撮影動作について図１を用いて説明する。まず、ユーザが電源スイッチ３２１を操作し、撮像装置１０３の電源をＯＮにする。すると、撮像装置１０３に内蔵されているバッテリー（不図示）から各回路へ電源供給されて、撮像装置１０３の起動処理（レンズバリアを開く動作制御およびマイクロコンピューターのリセット処理など）が行われる。撮像装置１０３は、電源ＯＦＦ時に電源スイッチ３２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００４８】
撮像装置１０３が撮影モードに移行すると、光学画像がレンズ３０１を介して撮影装置内へ入射し、撮像素子（ＣＣＤ）３０２に結像される。ＣＣＤ３０２は、入射される光学画像を電気信号に変換して、カメラ信号処理部（ＡＤＣ）３０３へ出力する。ＡＤＣ３０３は、入力される電気信号（アナログ信号）をデジタル信号に変換する。ＡＤＣ３０３から出力されるデジタル信号は画像処理部３０４に入力される。
【００４９】
画像処理部３０４内の前処理部３０５では、入力されるデジタル信号に基づき画像データを生成し、ホワイトバランス処理およびガンマ補正処理などが行われる。画像処理部３０４内のＹＣ処理部３０６では、画像データが輝度信号Ｙと色差信号ＣｒおよびＣｂとに分離され、色差信号ＣｒおよびＣｂの情報量を減らす処理が行われる。色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部３０５およびＹＣ処理部３０６で画像処理を行う際は、画像データを一時的にバッファメモリ３１１に保存し、随時バッファメモリ３１１に保存されている画像データを読み出しながら画像処理が行われる。
【００５０】
画像処理部３０４から出力される画像データ（非圧縮）はシステムコントローラ３１０に入力される。システムコントローラ３１０は、画像処理部３０４から出力される画像データを、ディスプレイドライバ３１６へ出力する。ディスプレイドライバ３１６は、入力される画像データ（デジタル信号）をアナログ画像信号に変換すると共に、アナログ画像信号に基づく画像のサイズを液晶ディスプレイ３１７で表示可能なサイズに調整する。
【００５１】
また、ディスプレイドライバ３１６は、液晶ディスプレイ３１７に画像を表示させるよう制御する。このとき、液晶ディスプレイ３１７に表示される画像は、ＣＣＤ３０２、ＡＤＣ３０３、および画像処理部３０４で、連続的に信号処理されて生成される画像（スルー画像）である。
【００５２】
液晶ディスプレイ３１７にスルー画像が表示されている状態で、ユーザが希望のタイミングで撮影ボタン３２３を操作すると、システムコントローラ３１０は画像処理部３０４に制御信号を出力する。画像処理部３０４に制御信号が入力されると、圧縮部３０８は、前処理部３０５およびＹＣ処理部３０６で画像処理された画像データをバッファメモリ３１１へ保存し、圧縮処理を行う。
【００５３】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、システムコントローラ３１０およびディスプレイドライバ３１６を介して液晶ディスプレイ３１７に表示される。また、圧縮された画像データは、カードホルダ３１４を介してメモリカード３１５に記録される。
【００５４】
撮影ボタン３２３が操作される前にズームボタン３２５が操作されると、システムコントローラ３１０は光学ズーム処理や電子ズーム処理を実行し、画像の大きさを拡大または縮小させることができる。そして、ズームボタン３２５の操作後、撮影ボタン３２３が操作されると、拡大または縮小された画像の画像データがメモリカード３１５へ記録される。
【００５５】
水準器３３０は、撮像装置１０３の傾きを検知し、計測する。方位センサ３３１は、撮像装置１０３の向いている方角（方位）を計測する。以上が図３の、本発明の実施形態における、撮像装置１０３に適用可能な装置のハードウェア構成の一例についての説明である。
【００５６】
次に、図４を参照して、本発明の実施形態における、撮像システムの各種装置機能構成の一例について説明する。図４は、本発明の実施形態における、撮像システムの各種装置機能構成の一例を示す機能ブロック図である。
【００５７】
速度検出部４０１は、携帯端末１０１の移動速度、加速度を検知する検知部である。移動距離検出部４０２は、携帯端末１０１の移動距離を検出する検出部である。例えば、携帯端末１０１が、どれだけの時間で、どれだけの距離移動したか、の情報を用いて、携帯端末１０１の移動速度を計測することが出来る。
【００５８】
撮影条件決定部４０３は、前述した携帯端末１０１の移動速度の情報を用いて、撮像装置１０３における撮影に際して利用する（設定する）撮影パラメータ、撮影条件を算出し、決定する決定部である。
【００５９】
撮影条件情報送信部４０４は、撮影条件決定部４０３で決定した撮影条件の情報である撮影条件情報を撮像装置１０３に送信する送信部である。また、撮像装置１０３に撮像開始指示の情報を送信する送信部である。
【００６０】
撮影画像受信部４０５は、撮像装置１０３が撮影した画像を受信する受信部である。撮影画像表示部４０６は、撮影画像受信部４０５で受信した画像データを撮像結果として表示画面に表示する表示部である。
【００６１】
撮影条件受信部４１１は、携帯端末１０１から撮影条件を受信する受信部である。撮影実行部４１２は、携帯端末からの指示に応じて撮像を実行する処理部である。例えば、携帯端末１０１から受信した撮影条件に基づいて撮影条件（撮影パラメータ）を設定し、撮像処理を行う（後述する、本発明の第１の実施形態において実施）。
【００６２】
撮影画像抽出部４１３は、撮影実行部で撮像処理を実行することにより取得した複数の画像データの中から、携帯端末１０１より受信した撮影条件に応じて、携帯端末１０１に送信するための画像データを抽出する抽出部である（後述する、本発明の第２の実施形態において実施）。
【００６３】
例えば、撮影実行部４１２で、携帯端末１０１から受信した撮影条件に基づいて撮影条件（撮影パラメータ）を設定し、撮像処理を行う場合、前記撮影画像抽出部４１３は機能させない（後述する、本発明の第１の実施形態において実施）。
【００６４】
また、例えば、撮影画像抽出部４１３を機能させる場合、撮影実行部４１２は、携帯端末１０１より受信した撮影条件を用いず、撮像装置１０３において予め設定された撮影パラメータを用いて撮像処理を実行するものとする（後述する、本発明の第２の実施形態において実施）。
【００６５】
撮影画像送信部４１４は、撮像処理を実行した結果取得した画像データを携帯端末１０１に送信する送信部である。以上が図４の、本発明の実施形態における、撮像システムの各種装置機能構成の一例についての説明である。
【００６６】
次に図５ａ及び図５ｂ（まとめて図５と記載）を参照して、本発明の第１の実施形態における、携帯端末１０１および撮像装置１０３の処理の一例について説明する。図５ａ及び図５ｂは、本発明の第１の実施形態における、携帯端末１０１および撮像装置１０３の処理の一例を示すフローチャートである。
【００６７】
携帯端末１０１（被写体）のＣＰＵ２０１は、ユーザの操作指示に応じて、ライブビュー映像を要求するメッセージを撮像装置へ送信する（ステップＳ５０２）。撮像装置１０３は、当該メッセージを受信し（ステップＳ５２９）、当該メッセージがライブビュー映像の要求を示すメッセージである場合（ステップＳ５３０でＹＥＳ）、ライブビュー映像（撮像装置で撮像中の画像データ／動画データ）を携帯端末１０１に送信する（ステップＳ５３１）。
【００６８】
ステップＳ５２９で受信したメッセージがライブビュー映像の要求を示すメッセージでない場合（ステップＳ５３０でＮＯ）、メッセージを無視して処理をステップＳ５２９に戻す。
【００６９】
携帯端末１０１のＣＰＵ２０１は、ライブビュー映像を受信し（ステップＳ５０３）、受信したメッセージがライブビュー映像かを判定する（ステップＳ５０４）。
【００７０】
受信したメッセージの種類がライブビュー映像の場合（ステップＳ５０４でＹＥＳ）、表示画面にライブビュー映像を表示し、当該表示画面に更に、撮影実行のためのガイドを表示する。つまり、Ｓ５０５およびＳ５０６にてライブビュー映像とガイド画面とを合成した画面（図７に示すガイド画面７００のような画面）を表示する。
受信したメッセージの種類がライブビュー映像でない場合（ステップＳ５０４でＮＯ）、メッセージを無視して処理をＳ５０３に戻す。
【００７１】
ここで図７を参照して、本発明の実施形態における、携帯端末１０１におけるガイド画面の構成の一例について説明する。図７は、本発明の実施形態における、携帯端末１０１におけるガイド画面の構成の一例を示す図である。
ガイド画面７００は、ユーザに、カメラの画角に対するユーザの位置を調整させるべく携帯端末１０１の表示画面に表示される画面である。
【００７２】
７０１は、ユーザの保持する携帯端末１０１である。ガイダンス７０２は、撮像装置１０３における撮像処理の開始許可をユーザに求めるメッセージである。「ＯＫ」ボタン７０３は、撮像装置１０３における撮像処理の開始（撮像処理の準備の開始）のためのボタンである。以上が図７の、本発明の実施形態における、携帯端末１０１におけるガイド画面の構成の一例についての説明である。
【００７３】
図５の説明に戻る。携帯端末１０１のＣＰＵ２０１は、ステップＳ５０７にて、ガイド画面７００の「ＯＫ」ボタン７０３が押下されたかを判定する（ステップＳ５０７）。つまり、撮像開始の準備が整ったかを判定する。
「ＯＫ」ボタン７０３が押下されていない場合（ステップＳ５０７でＮＯ）、ライブビューを最新の情報に更新するため、処理をステップＳ５０２へ戻す。
【００７４】
「ＯＫ」ボタン７０３が押下された場合（ステップＳ５０７でＹＥＳ）、ライブビューの停止指示を撮像装置１０３に送信する（ステップＳ５０８）。撮像装置１０３は、当該ライブビューの停止指示を受信する（ステップＳ５３２）。
【００７５】
撮像装置１０３は、ステップＳ５３３にて受信した指示の内容がライブビュー停止要求かを判定し（ステップＳ５３３）、当該指示の内容がライブビュー停止要求でない場合（ステップＳ５３３でＮＯ）、処理をステップＳ５２９に戻す。
【００７６】
ステップＳ５３３にて受信した指示の内容がライブビュー停止要求であった場合（ステップＳ５３３でＹＥＳ）、携帯端末１０１へのライブビュー画像の送信を停止する。
【００７７】
携帯端末１０１のＣＰＵ２０１は、例えば速度センサ２１２の機能を用いて、当該携帯端末１０１の加速度（検出時点での速度）を検出、取得し（ステップＳ５０９）、当該携帯端末１０１の速度が０か否かを判定する（ステップＳ５１０）。
【００７８】
速度が０でない場合（ステップＳ５１０でＮＯ）、処理をステップＳ５０９に戻す。つまり、携帯端末１０１の現在の速度が０になるまでこの処理を繰り返す。この処理はすなわち、携帯端末１０１が、例えばゴルフスイングでいうアドレス位置で静止するのを待っている。
ステップＳ５１０で、携帯端末１０１の速度が０であると判定した場合（ステップＳ５１０でＹＥＳ）、移動量を初期化する（ステップＳ５１１）。
【００７９】
また、携帯端末１０１に搭載された不図示のＧＰＳ機能を用いて取得した、携帯端末１０１の現在の位置を、携帯端末１０１の外部メモリ２１１に記憶する。または、携帯端末１０１に搭載された位置センサの機能を用いて取得した、携帯端末１０１の現在の位置を、携帯端末１０１の外部メモリ２１１に記憶する。
【００８０】
携帯端末１０１のＣＰＵ２０１は、速度センサ２１２の機能を用いて、携帯端末１０１の移動速度（加速度）を取得し（ステップＳ５１２）、ステップＳ５１３にて、Ｓ５１２にて速度センサから取得した現在の速度が０でないか判定する（ステップＳ５１３）。現在の速度が０でなくなるまでこの処理を繰り返す。この処理はすなわち、アドレス位置から動き出すのを待っている。
Ｓ５１２にて速度センサから取得した現在の速度が０でないと判定した場合（ステップＳ５１３でＹＥＳ）、処理をステップＳ５１４に移行する。
【００８１】
携帯端末１０１のＣＰＵ２０１は、位置センサから取得した現在の位置と、記憶しておいた前回の位置（ステップＳ５１１のタイミングで取得した位置情報の示す位置）との差を移動量へ加算する。また、現在の位置を記憶する。この処理はすなわち、アドレス位置からトップ位置までの移動量を計算している。
【００８２】
携帯端末１０１のＣＰＵ２０１は、速度センサ２１２の機能を用いて、携帯端末１０１の移動速度（加速度）を取得し（ステップＳ５１５）、ステップＳ５１６にて、Ｓ５１５にて速度センサから取得した現在の速度が０であるか判定する（ステップＳ５１６）。ステップＳ５１４〜Ｓ５１６の処理を、現在の速度が０になるまでこの処理を繰り返す。この処理はすなわち、トップ位置で静止するのを待っている。
【００８３】
ステップＳ５１５にて速度センサから取得した現在の速度が０であると判定された場合（ステップＳ５１６でＹＥＳ）、処理をステップＳ５１７に移行し、速度センサから取得した現在の速度が０であると判定されなかった場合（ステップＳ５１６でＮＯ）、処理をステップＳ５１４に戻す。
【００８４】
携帯端末１０１のＣＰＵ２０１は、速度センサ２１２の機能を用いて、携帯端末１０１の移動速度（加速度）を取得する（ステップＳ５１７）。そして、当該速度が０でないかを判定する（ステップＳ５１８）。
【００８５】
当該速度が０であると判定した場合（ステップＳ５１８でＮＯ）、処理をステップＳ５１７の前に戻し、当該速度が０でないと判定した場合（ステップＳ５１８でＹＥＳ）、処理をステップＳ５１９に移行する。つまり、例えば、スイング開始時の初速度、つまり、例えば、携帯端末１０１の移動が検知されてから、０，０５秒後のまでの速度情報を検知し、取得する。
【００８６】
携帯端末１０１のＣＰＵ２０１は、ステップＳ５１９にて、アドレス位置からトップ位置までの移動量（以下、移動量）および加速度をもとに、撮影間隔およびシャッター速度を算出する（ステップＳ５１９）。
【００８７】
一例として、撮影間隔（秒）は、以下の計算式で導くものとする。
【数１】
2014093669.tif 000003
【００８８】
また、シャッター速度（秒）は、以下の計算式で導くものとする。
【数２】
2014093669.tif 000004
【００８９】
携帯端末１０１のＣＰＵ２０１は、ステップＳ５２０にて、撮影間隔およびシャッター速度等の撮影条件情報を通知し撮影開始を要求するメッセージを撮像装置へ送信する（ステップＳ５２０）。ここでいう、撮影条件情報とは、例えば、図１０に示すような情報を示す。
【００９０】
ここで図１０を参照して、本発明の実施形態における、撮影条件情報の構成の一例について説明する。図１０は、本発明の実施形態における、撮影条件情報の構成の一例を示す図である。
【００９１】
撮影条件情報１０００は、撮影間隔１００１、シャッター速度１００２、Ｆ値（絞り）１００３、ＩＳＯ１００４、コマ数（抽出枚数）１００５等から構成されている。撮影間隔１００１は、全術した計算式を用いて算出された撮影間隔を示す。
【００９２】
シャッター速度１００２は前述した計算式を用いて算出されたシャッター速度を示す。Ｆ値１００３は絞りの値を示す。ＩＳＯ１００４は、ＩＳＯ感度の値を示す。コマ数１００５は、撮影結果（撮影結果情報）として取得する画像データの枚数である。
【００９３】
コマ数１００５は、携帯端末１０１の外部メモリ等の記憶領域に予め記憶、設定されているものとする。尚、当該コマ数１００５に設定されている枚数の情報はあくまで基準値であり、当該第１の実施例においては、上述した計算式にて撮影間隔を特定するために用いられる。
【００９４】
例えば、当該第１の実施例において、撮像装置により撮影された画像データの実撮影枚数が１０を下回る場合には、撮影画像の全てを撮影結果の画像データとして取得し（撮影結果情報取得）、携帯端末の表示画面に表示する。
【００９５】
また、撮像装置により撮影された画像データの実撮影枚数が１０を上回る場合であっても、撮影画像の全てを撮影結果の画像データとして取得し（撮影結果情報取得）、携帯端末の表示画面に表示するものとする。
【００９６】
後述する第２の実施例においては、実撮影枚数から特定の枚数（コマ数１００５の示す枚数）を抽出するために用いられる。以上が図１０の、本発明の実施形態における、撮影条件情報の構成の一例についての説明である。
【００９７】
次に、図１２を参照して、本発明の実施形態における、撮影条件算出方法の一例について説明する。図１２は、本発明の実施形態における、撮影条件算出方法の一例を示す図である。移動量１２０１は、図５のステップＳ５１３で移動量＝０でないと判定されてから、ステップＳ５１６で速度＝０であると判定されるまでに、ステップＳ５１４で加算された移動量の総計である。つまり、例えば、ゴルフでいうアドレス位置からトップ位置に携帯端末１０１が移動するまでの距離（移動量）である。
【００９８】
加速度１２０２は、速度センサ２１２等を用いて検出された携帯端末の移動速度（加速度）である。コマ数１２０３は、撮影結果として取得する画像データの枚数である。尚、当該コマ数は、当該第１の実施例においては、撮影間隔を特定するための計算式にて撮影間隔を特定するために用いられる。
【００９９】
計算式１２０４は撮影間隔を算出するための計算式である。撮影間隔１２０５は、式に具体的な値（１２０１〜１２０３）を挿入することで導かれた撮影間隔の値である。計算式１２０６はシャッター速度を算出するための計算式である。
【０１００】
シャッター速度１２０７は、式に具体的な値（１２０１、１２０３）を挿入することで導かれたシャッター速度の値である。以上が図１２の、本発明の実施形態における、撮影条件算出方法の一例についての説明である。
【０１０１】
図５の説明に戻る。撮像装置１０３は、例えば撮影条件情報１０００の内、当該撮影間隔の情報、シャッター速度の情報の情報と、撮影開始のメッセージ（撮影開始指示の情報）を受信する（ステップＳ５３４）。
【０１０２】
撮像装置１０３は、ステップＳ５３５にて、受信したメッセージの種類を確認する。つまり、ステップＳ５３４で受信した情報が、撮影開始を要求するメッセージか否かを判定する（ステップＳ５３５）。
【０１０３】
ステップＳ５３４で受信した情報が、撮影開始を要求するメッセージでないと判定した場合（ステップＳ５３５でＮＯ）、処理をステップＳ５３４の前に戻す。ステップＳ５３４で受信した情報が、撮影開始を要求するメッセージであると判定した場合（ステップＳ５３５でＹＥＳ）、処理をステップＳ５３６に移行して撮影間隔、シャッター速度を決定し、撮像装置１０３が撮像処理を行うにあたり利用する設定として設定する（ステップＳ５３６）。
【０１０４】
撮像装置１０３は、ステップＳ５３６にて設定された撮影条件（設定）に基づいて撮像処理を実行し（ステップＳ５３７）、撮像処理により取得した画像データを外部メモリ等の記憶部に記憶する（ステップＳ５３８）。
【０１０５】
また、撮影した画像データの撮影時間の情報を、例えば、画像データのメタデータ（Ｅｘｉｆ情報）として記憶し、当該時間の情報を取得する。尚、ここでは、当該撮影時間の情報をメタデータとして画像データと共に記憶しているが、例えば、画像データと画像データの撮影時間（生成時間）等の時間情報と、を対応付けて記憶するデータテーブルを設け、外部メモリ等の記憶部に記憶するようにしてもよい。
【０１０６】
撮像装置１０３は、撮影終了指示の情報を携帯端末１０１より受信済か否かを判定する（ステップＳ５３９）。撮影終了指示の情報を携帯端末１０１より受信済でないと判定した場合（ステップＳ５３９でＮＯ）、処理をステップＳ５４０に移行する。
【０１０７】
撮影終了指示の情報を携帯端末１０１より受信済であると判定した場合（ステップＳ５３９でＹＥＳ）、処理をステップＳ５４３に移行し、撮影結果（携帯端末１０１から撮影指示を受け付けてから、撮影終了指示を受け付けるまでの間に撮影した画像データ）を記憶部より取得して（撮影結果情報取得手段）、携帯端末１０１に送信する（ステップＳ５４３）。つまり、撮像装置１０３は、携帯端末１０１から撮影終了指示を受信するまで、撮影処理を実行する。
【０１０８】
ステップＳ５２１にて、携帯端末１０１のＣＰＵ２０１は、当該携帯端末１０１の移動速度を取得し（ステップＳ５２１）、取得した現在の速度が０か判定する（ステップＳ５２２）。携帯端末１０１のＣＰＵ２０１は、現在の速度が０になるまでこの処理を繰り返す。この処理はすなわち、フォロースルー位置で静止するのを待っている。
【０１０９】
ステップＳ５２１で取得した速度が０でない場合（ステップＳ５２２でＮＯ）、処理をステップＳ５２１の前に戻し、ステップＳ５２１で取得した速度が０である場合（ステップＳ５２２でＹＥＳ）、処理をステップＳ５２３に移行して、撮像装置１０３に対して撮影終了指示の情報（メッセージ）を送信する（ステップＳ５２３）。
撮像装置１０３は当該撮影終了指示の情報を受信し（ステップＳ５４２）、処理をステップＳ５３９に移行する。
【０１１０】
撮像装置１０３は、ステップＳ５３９において、撮影終了指示の情報を携帯端末１０１より受信済でないと判定した場合（ステップＳ５３９でＮＯ）、現在時刻の情報を取得し（ステップＳ５４０）、ステップＳ５３８にて取得した撮影時刻との差の時間がステップＳ５３６にて決定した撮影間隔以上か判定する（ステップＳ５４１）。
【０１１１】
当該差の時間がステップＳ５３６にて決定した撮影間隔以上でないと判定した場合（ステップＳ５４１でＮＯ）、処理をステップＳ５３９の前に戻す。すなわち、当該差の時間が撮影間隔の示す時間に達するか、撮影終了指示を携帯端末１０１より受信するまで待機する。
【０１１２】
当該差の時間がステップＳ５３６にて決定した撮影間隔以上であると判定した場合（ステップＳ５４１でＹＥＳ）、処理をステップＳ５３７に移行して、撮影処理を実行する。
【０１１３】
撮像装置１０３は、ステップＳ５４３において、撮影結果の撮影画像（画像データ）を携帯端末１０１に送信し（ステップＳ５４３）、当該携帯端末１０１は、当該画像データを受信する（ステップＳ５２４）。
【０１１４】
携帯端末１０１のＣＰＵ２０１は、ステップＳ５２４で受信した情報が、撮影結果の画像データか否かを判定し（ステップＳ５２５）、受信した情報が撮影結果の画像データでないと判定した場合（ステップＳ５２５でＮＯ）、当該情報を無視して処理をステップＳ５２４の前へ戻す。
【０１１５】
受信した情報が撮影結果の画像データであると判定した場合（ステップＳ５２５でＹＥＳ）、処理をステップＳ５２６に移行し、撮影結果画面（例えば、図８に示す撮影結果画面のような画面）を表示画面に表示する。以上が、図５ａ及び図５ｂ（まとめて図５と記載）の、本発明の第１の実施形態における、携帯端末１０１および撮像装置１０３の処理の一例についての説明である。
【０１１６】
ここで図８を参照して、本発明の実施形態における、携帯端末１０１における撮像結果画面の構成の一例について説明する。図８は、本発明の実施形態における、携帯端末１０１における撮像結果画面の構成の一例を示す図である。
【０１１７】
図８に示す通り、撮像結果画面８００は、サムネイル画像８０１、「閉じる」ボタン８０２等を備えて構成されている。サムネイル画像８０１は、撮像装置１０３において撮影された画像データのサムネイルである。
【０１１８】
「閉じる」ボタン８０２は、撮像結果画面８００を終了するためのボタンである。以上が図８の、本発明の実施形態における、携帯端末１０１における撮像結果画面の構成の一例についての説明である。
【０１１９】
以上説明したように、本発明の第１の実施形態によれば、被写体の動作に応じて撮影条件を変更可能な撮像装置、撮像システム、その制御方法及びプログラムを提供することが出来る。
【０１２０】
次に図６ａ及び図６ｂ（まとめて図６と記載）を参照して、本発明の第２の実施形態における、携帯端末１０１および撮像装置１０３の処理の一例について説明する。図６ａ及び図６ｂは、本発明の第２の実施形態における、携帯端末１０１および撮像装置１０３の処理の一例を示すフローチャートである。
【０１２１】
前述した本発明の第１の実施形態においては、撮像装置１０３は、携帯端末１０１において算出され決定された撮影条件に基づいて撮影処理を実行した。以下説明する本発明の第２の実施形態においては、撮像装置１０３は、予め撮像装置１０３に設定された（撮像装置１０３の外部メモリ等の記憶領域に記憶された）撮影条件を用いて撮影された画像データの中から、前記携帯端末１０１において算出され決定された撮影条件を含む撮影条件情報（例えば撮影条件情報１０００）に基づいて画像データを抽出し（撮影結果情報取得手段）、携帯端末１０１に送信する。
【０１２２】
こうすることで、例えば、撮影開始までの処理にかかる時間であって、携帯端末１０１が撮影条件を算出して撮像装置１０３に送信し、撮像装置１０３がこれを受信して撮影条件を設定する処理を実行するためにかかる時間を短縮することが出来る。
【０１２３】
尚、ステップＳ６０１〜Ｓ６２３、及び、ステップＳ６２８〜Ｓ６３３の処理は、それぞれ、図５のステップＳ５０１〜Ｓ５２３、ステップＳ５２８〜Ｓ５３３の処理に対応する、同一の処理のため、ここでは説明を割愛する。
【０１２４】
以下、図６のステップＳ６２４〜Ｓ６２７、ステップＳ６３４〜Ｓ６４３の処理について説明する。撮像装置１０３は、携帯端末１０１がステップＳ６２０で送信した撮影開始指示、及び、撮影間隔、シャッター速度等の撮影条件の情報を受信する（ステップＳ６３４）。
【０１２５】
尚、ここでは携帯端末１０１のＣＰＵ２０１が、携帯端末１０１の移動速度に基づいて撮影条件を算出、決定した後に、撮影開始指示、及び当該撮影条件を撮像装置に送信し、撮影を開始する実施形態について説明するが、例えば、携帯端末１０１のＣＰＵ２０１が、携帯端末１０１の移動（速度）を検出した場合（ステップＳ６１０でＹＥＳ）に、当該撮影条件算出処理の前に、撮影開始指示の情報を撮像装置１０３に送信し、撮像装置１０３に撮影処理を開始させるようにしてもよい。
【０１２６】
この場合、例えば、携帯端末１０１のＣＰＵ２０１が、ステップＳ６１１〜Ｓ６２０の処理を実行する間、撮像装置１０３は、予め設定された撮影条件に応じて撮像処理を実行しており、後述するステップＳ６３５の撮影開始の判定処理は行わないものとする。
【０１２７】
撮像装置１０３は、ステップＳ６３４で受信した情報が、撮影開始指示の情報を含むか否かを判定する（ステップＳ６３５）。ステップＳ６３４で受信した情報が撮影開始指示の情報を含まない場合（ステップＳ６３５でＮＯ）、処理をステップＳ６３４の前に戻す。
【０１２８】
ステップＳ６３４で受信した情報が撮影開始指示の情報を含む場合（ステップＳ６３５でＹＥＳ）、撮像装置１０３において予め定められた撮影条件（撮影間隔、シャッター速度の情報等）を用いて（設定して）、撮影処理を実行し（ステップＳ６３６、ステップＳ６３７）、外部メモリ等の記憶領域に保存、記憶する（ステップＳ６３８）。
【０１２９】
撮像装置１０３は、携帯端末１０１より撮影終了指示の情報を受信したかを判定し（ステップＳ６３９）、携帯端末１０１より撮影終了指示の情報を未だ受信していないと判定した場合（ステップＳ６３９でＮＯ）、処理をステップＳ６３７に戻して撮影処理を継続する。
ステップＳ６４０において既に撮影終了指示の情報を受信している場合（ステップＳ６３９でＹＥＳ）、処理をステップＳ６４１に移行する。
【０１３０】
撮像装置１０３は、ステップＳ６４１において、ステップＳ６３７において撮影され、ステップＳ６３８において記憶部に記憶された画像データの中から、ステップＳ６２０において受信した撮影条件に応じて画像データを抽出する（撮影結果情報取得手段）。具体的な画像データの抽出方法については図１３の説明にて後述する。
【０１３１】
ここで図１３を参照して、本発明の実施形態における、画像データ抽出方法の一例について説明する。図１３は、本発明の実施形態における、画像データ抽出方法の一例を示す図である。
【０１３２】
撮影枚数１３０１は、図６のステップＳ６３７において撮影され、ステップＳ６３８において記憶部に記憶・保存された画像の枚数である。コマ数１３０２は、ステップＳ６２０で受信した撮影条件情報１０００中のコマ数１００５の値である。
【０１３３】
計算式１３０３は、撮影枚数に示される画像データを撮影日時順にソートした場合に、何番目（いずれの番号）の画像データを抽出するかを特定するための式である。抽出後の画像番号１３０４は、コマ数１３０２に示される枚数分の番号である。
【０１３４】
抽出前の画像番号１３０５は、当該計算式１３０３に具体的な数値を挿入することにより特定された、抽出後の画像番号１３０４に対応する、撮影枚数１３０１に示される画像データの画像番号である。
【０１３５】
つまり、例えば、抽出対象画像１３０６、非抽出対象画像１３０７に示すように、抽出前の画像番号１３０５は、図６のステップＳ６４１で抽出される画像データの抽出前の画像の番号である。
【０１３６】
抽出後の画像番号１３０４は、抽出された当該画像データの番号であって、抽出前から変更された番号である。当該番号の変更処理は、例えば、図６のステップＳ６４１で、撮像装置１０３によって行われるものとする。以上が図１３の、本発明の実施形態における、画像データ抽出方法の一例についての説明である。
【０１３７】
図６の説明に戻る。撮像装置１０３は、ステップＳ６４１で抽出した画像データを撮影結果のデータとして携帯端末１０１に送信し（ステップＳ６４２）、携帯端末１０１のＣＰＵ２０１はこれを受信する（ステップＳ６２４）。
【０１３８】
携帯端末１０１のＣＵ２０１は、ステップＳ６２４で受信した情報が、撮影結果の画像データか否かを判定し（ステップＳ６２５）、受信した情報が撮影結果の画像データでないと判定した場合（ステップＳ６２５でＮＯ）、当該情報を無視して処理をステップＳ６２４の前へ戻す。
【０１３９】
受信した情報が撮影結果の画像データであると判定した場合（ステップＳ６２５でＹＥＳ）、処理をステップＳ６２６に移行し、撮影結果画面（例えば、図８に示す撮影結果画面のような画面）を表示画面に表示する。以上が、図６ａ及び図６ｂ（まとめて図６と記載）の、本発明の第２の実施形態における、携帯端末１０１および撮像装置１０３の処理の一例についての説明である。
【０１４０】
以上説明したように、本発明の第２の実施形態によれば、被写体の動作に応じて撮影条件を変更可能な撮像装置、撮像システム、その制御方法及びプログラムを提供することが出来る。
【０１４１】
また、例えば、撮影開始までの処理にかかる時間であって、携帯端末１０１が算出した撮影条件を撮像装置１０３が受信して設定する処理を実行するためにかかる時間を短縮することが出来る。
【０１４２】
また、ここでは、撮影条件の算出を逐次行い、撮像処理を実行する構成としているが、例えば、前記速度情報、携帯端末の移動距離の情報に応じた撮影条件を予め撮像装置１０３の外部メモリ、携帯端末１０１の外部メモリ等の記憶領域に記憶しておき、撮像装置１０３のＣＰＵが当該外部メモリに記憶された、乃至、携帯端末１０１から受信した当該撮影条件を読みだすことにより、撮影条件を決定するようにしてもよい。
【０１４３】
例えば、図１１に示すような、撮影条件リスト１１００のような情報を携帯端末１０１の外部メモリ、撮像装置１０３の外部メモリに記憶しておく。そして、例えば、携帯端末１０１のＣＰＵ２０１が、撮像装置１０３に加速度の情報、移動量の情報を送信し、撮像装置１０３がこれを受信して、当該加速度の情報・移動量の情報に基づいて、いずれの撮影条件を撮像装置１０３に適用・設定するかを決定するようにしてもよい。
【０１４４】
以下、図１１を参照して、本発明の実施形態における、撮影条件リストの構成の一例について説明する。図１１は、本発明の実施形態における、撮影条件リストの構成の一例を示す図である。
【０１４５】
撮影条件リスト１１００は、ＩＤ１１０１、加速度１１０２、移動量１１０３、撮影種別１１０４、撮影間隔１１０５、シャッター速度１１０６、コマ数（抽出枚数）１１０７等から構成されている。
【０１４６】
ＩＤ１１０１は、撮影条件リストに含まれる各撮影条件を一意に識別するための識別情報である。加速度１１０２は、携帯端末の加速度がどの程度であった場合に当該加速度１１０２（その値）を含む撮影条件を適用するかを判定するための基準値である。ｎｕｌｌ＝設定なしであり、加速度の値を撮影条件の適用条件に含まないことを示す。
【０１４７】
移動量１１０３は、携帯端末の移動量がどの程度であった場合に当該移動量１１０３（その値）を含む撮影条件を適用するかを判定するための基準値である。ｎｕｌｌ＝設定なしであり、移動量の値を撮影条件の適用条件に含まないことを示す。撮影種別１１０４は、画像の記録、撮像の形式を静止画撮影とするか動画撮影とするかを示す。
【０１４８】
撮影間隔１１０５は、連続して画像を撮影する時間の間隔である。シャッター速度１１０６は、シャッターを切る速度である。コマ数（抽出枚数）１１０７は、撮影結果として取得する画像データの枚数である。
【０１４９】
コマ数１１０７の情報をどのように利用するかは前述したため、ここでは説明を割愛する。以上が図１１の、本発明の実施形態における、撮影条件リストの構成の一例についての説明である。
【０１５０】
例えば、携帯端末１０１のＣＰＵ２０１は、図５でいうステップＳ５１６＝０の段階で特定した移動量の情報、ステップＳ５１７のタイミングで取得した加速度の情報を、撮像装置１０３に送信する。
【０１５１】
撮像装置１０３は、当該携帯端末１０１から受信した加速度に最も近い加速度の値を加速度１１０２に有する撮影条件を特定する。そして、当該携帯端末１０１から受信した移動量の情報が、前記特定した撮影条件の有する移動量１１０３に一致するかを判定し、一致する場合、当該特定した撮影条件を撮像装置１０３に設定することを決定する。また、上述した本発明の第２の実施形態においては、当該判定にて一致すると判定された撮影条件の情報を、図１３の計算式１３０３に挿入して、撮影結果の情報として抽出する画像データを特定する（図６のステップＳ６４１）。
【０１５２】
一致しなかった場合、携帯端末１０１から受信した加速度に２番目に近い加速度の値を加速度１１０２に有する撮影条件を特定し、前述した処理と同じく、移動量の値の一致判定を行う。加速度１１０２に数値が設定されている全ての撮影条件について、上記判定を行った結果、全て適用不可と判定された場合、加速度１１０２＝ｎｕｌｌの撮影条件を取得して、当該取得した撮影条件を撮像装置１０３に適用する。また、上述した本発明の第２の実施形態においては、当該判定にて一致すると判定された撮影条件の情報を、図１３の計算式１３０３に挿入して、撮影結果の情報として抽出する画像データを特定する。
【０１５３】
また、移動量１１０３に数値が設定されている全ての撮影条件について、上記判定を行った結果、全て適用不可と判断された場合、移動量１１０３＝ｎｕｌｌの撮影条件を取得して、当該取得した撮影条件を撮像装置１０３に適用するものとする。また、上述した本発明の第２の実施形態においては、当該判定にて一致すると判定された撮影条件の情報を、図１３の計算式１３０３に挿入して、撮影結果の情報として抽出する画像データを特定する。
【０１５４】
また、当該撮影条件リスト１１００に登録される撮影条件の設定は、例えば携帯端末１０１の表示画面に表示される撮影条件設定画面９００（図９に図示）のような画面において、ユーザからの操作指示を受け付けることにより登録・設定可能である。
【０１５５】
以下、図９を参照して、本発明の実施形態における、撮影条件設定画面の構成の一例について説明する。図９は、本発明の実施形態における、撮影条件設定画面の構成の一例を示す図である。
【０１５６】
撮影条件設定画面９００は、例えば、携帯端末１０１の表示画面に表示される不図示のホーム画面より、画像撮影用のアプリケーションの選択操作を受け付け、不図示の当該撮影用アプリケーションのメイン画面（例えば撮影画面）より、「設定」ボタンのような設定変更用のボタンの押下指示を受け付けることにより、携帯端末１０１の表示画面に表示される。
【０１５７】
撮影条件設定画面９００は、撮影条件設定９０１（連写設定９０１）、撮影条件設定９１１（連写設定９１１）、撮影条件設定９１２（動画設定９１２）、加速度設定入力受付部９０２、距離設定入力受付部９０３、撮影間隔設定入力受付部９０４、シャッター速度設定入力受付部９０５、「撮影」ボタン９０６、「ホーム」ボタン９０７、「設定」ボタン９０８等を備えて構成されている。
【０１５８】
撮影条件設定９０１（連写設定９０１）、撮影条件設定９１１（連写設定９１１）、撮影条件設定９１２（動画設定９１２）は、それぞれ連続撮影、動画撮影を実行する場合の撮影条件、および、撮影条件を適用するための条件（撮影条件情報に含む）を設定する区画である。これらの撮影条件の数は、携帯端末１０１のＣＰＵ２０１がユーザからの操作指示を受け付けることにより追加可能であるものとする。
【０１５９】
加速度設定入力受付部９０２は、図１１の加速度１１０２に設定する加速度の値の入力を受け付ける入力受付部である。距離設定入力受付部９０３は、図１１の移動量１１０３に設定する移動量の値の入力を受け付ける入力受付部である。
【０１６０】
撮影間隔設定入力受付部９０４は、図１１の撮影間隔１１０５に設定する撮影間隔の値の入力を受け付ける入力受付部である。シャッター速度設定入力受付部９０５は、図１１のシャッター速度１１０６に設定するシャター速度の値の入力を受け付ける入力受付部である。
【０１６１】
「撮影」ボタン９０６は、携帯端末１０１の表示画面の表示を、前述した不図示のメイン画面に移行させるためのボタンである。「ホーム」ボタン９０７は、携帯端末１０１の表示画面の表示を、前述した不図示のホーム画面に移行させるためのボタンである。「設定」ボタン９０８は、携帯端末１０１の表示画面の表示を、図９に示す撮影条件設定画面に移行させるためのボタンである。
【０１６２】
携帯端末１０１のＣＰＵ２０１は、例えば、当該設定画面の「撮影」ボタン９０６、「ホーム」ボタン９０７の押下指示、または、当該画像撮影用アプリケーションの終了指示を受け付けた場合に、当該撮影条件設定画面９００上に、ユーザの操作指示により入力、変更された各種設定の更新を行うか否かのポップアップを表示し、変更された各種設定の更新を行う旨の操作指示を受け付けた場合に、当該入力、変更された各種設定（値）を、携帯端末１０１の外部メモリに記憶された撮影条件リスト１１００に反映する。
【０１６３】
また、撮像装置１０３に対し、当該入力・変更された各種設定（値）と、撮影条件リストの更新指示を送信し、撮像装置１０３は当該入力・変更された各種設定（値）と当該更新指示を受信して、撮像装置１０３の外部メモリ上に記憶された撮影条件リスト１１００を更新する。以上が図９の、本発明の実施形態における、撮影条件設定画面の構成の一例についての説明である。
【０１６４】
以上説明したように、本発明によれば、被写体の動作に応じて撮影条件を変更可能な撮像装置、撮像システム、その制御方法及びプログラムを提供することが出来る。
【０１６５】
尚、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１６６】
この場合、記録媒体から読み出されたプログラム自体が本発明の新規な機能を実現することになり、そのプログラムを記憶した記録媒体は本発明を構成することになる。
【０１６７】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１６８】
また、各装置が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６９】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１７０】
また、本発明は、複数の機器から構成されるシステムに適用しても、１つの機器からなる装置に適用してもよい。例えば、撮像装置１０３にユーザの動作を検知するためのセンサ（ＧＰＳセンサ、ユーザの手又は手に持たれた筐体の加速度、移動量を検知するかめのセンサ、等）を設け、当該センサから得られたユーザの動作の情報を用いて、例えば図５、図６の動作の全てを撮像装置１０３にて行うようにしてもよい。
【０１７１】
撮像装置１０３において、図５、図６の全ての処理を実行する場合、携帯端末１０１にライブビュー画像を送信する処理、撮影結果の情報を携帯端末１０１に送信する処理は実行しなくともよい（例えば、図５でいうステップＳ５０１〜Ｓ５０６、ステップＳ５２９〜５３１、ステップＳ５２３、Ｓ５２４、Ｓ５４２、Ｓ５４３等は実行しなくともよい）。この場合、撮影結果の情報（画像データ）は撮像装置１０３の表示画面に表示される（表示制御手段）。
【０１７２】
つまり、撮像装置１０３において、図５、図６の全ての動作を実行する場合、携帯端末１０１は不要である。この場合、撮像装置１０３は、例えば画像認識により認識される、ユーザの手の移動動作からモーション情報（加速度、移動量）を検知し（モーション検知手段）、撮影条件を決定する。
【０１７３】
また、例えば、撮像装置１０３にユーザの動作を検知するためのセンサ（ＧＰＳセンサ、ユーザの手（被写体）又は手に持たれた筐体の加速度、移動量を検知するかめのセンサ、等）を設け、当該センサから得られたユーザの動作の情報を用いて、例えば図５、図６の動作の内、携帯端末のモーション（動作・モーション情報／後述する加速度、移動量の情報等のことをいう）検知及び撮影条件の算出処理を撮像装置１０３にて行うようにしてもよい。この場合、例えば図５のステップＳ５０９〜Ｓ５２３の処理を撮像装置１０３にて実行する。そして、撮影結果の情報（画像データ）を、携帯端末１０１の表示画面に表示させるべく、携帯端末１０１に送信する（表示制御手段）。
【０１７４】
また、例えば、本発明の第２の実施形態にて撮像装置１０３が実行している、撮影結果情報（ステップＳ６４２にて携帯端末１０１に送信する画像データ）の特定処理（ステップＳ６４１）を、携帯端末１０１のＣＰＵ２０１（ＣＰＵ２０１により実行されるアプリケーション）が実行し、当該特定処理の結果（いずれの画像データを撮影結果の情報としてステップＳ６４２にて携帯端末１０１に送信するか）を、図１３の計算式１３０３を用いて特定し、当該特定した画像データの送付要求を撮像装置１０３に送信（画像データ要求手段／要求手段に該当）して、撮像装置１０３は当該送付要求に従って、携帯端末１０１に画像データを送付（画像データ送信手段に該当）するようにしてもよい。
【０１７５】
この場合、撮像装置１０３は、図６のステップＳ６３９からＳ６４１に処理を移行する間に、携帯端末１０１に対して、何枚の画像データが撮影・記憶されたかを示す情報を送信し、携帯端末１０１のＣＰＵ２０１は、当該何枚の画像データが撮影・記憶されたかを示す情報、及び、例えば撮影条件リスト１１００の情報を用いて、図１３の計算式１３０３を利用し、抽出対象の画像データを特定する。
【０１７６】
また、図６のステップＳ６４１の処理を撮像装置１０３で実行せず、撮影処理によって取得された全ての画像データを携帯端末１０１が受取り（Ｓ６２４）、携帯端末１０１のＣＰＵ２０１（ＣＰＵ２０１により実行されるアプリケーション）が実行し、いずれの画像データを撮影結果の情報として表示画面に表示するか（ステップＳ６２６）を、図１３の計算式１３０３を用いて特定して（要求手段）、表示画面に表示するようにしてもよい（表示制御手段）。
【０１７７】
本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１７８】
さらに、本発明を達成するためのプログラムをネットワーク上のサーバ，データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【０１７９】
また上記のソフトウェアで実現する各処理を、ファームウェアやハードウェア構成にして、各処理を各手段として実現することも可能であり、本発明の技術的範囲はこのようなファームウェアやハードウェア構成による実現も含むものである。
【符号の説明】
【０１８０】
１０１  携帯端末
１０２  無線ＬＡＮ
１０３  撮像装置
【図３】
2014093669.tif 000005
【図４】
2014093669.tif 000006
【図５ａ】
2014093669.tif 000007
【図５ｂ】
2014093669.tif 000008
【図６ａ】
2014093669.tif 000009
【図６ｂ】
2014093669.tif 000010
【図７】
2014093669.tif 000011
【図８】
2014093669.tif 000012
【図９】
2014093669.tif 000013
【図１０】
2014093669.tif 000014
【図１１】
2014093669.tif 000015
【図１２】
2014093669.tif 000016
【図１３】
2014093669.tif 000017
【図１】
2014093669.tif 000018
【図２】
2014093669.tif 000019
【手続補正書】
【提出日】平成24年12月7日(2012.12.7)
【手続補正１】
【補正対象書類名】明細書
【補正対象項目名】００８７
【補正方法】変更
【補正の内容】
【００８７】
一例として、撮影間隔（秒）は、以下の計算式で導くものとする。
【数１】
2014093669.tif 000020
【手続補正２】
【補正対象書類名】明細書
【補正対象項目名】００８８
【補正方法】変更
【補正の内容】
【００８８】
また、シャッター速度（秒）は、以下の計算式で導くものとする。
【数２】
2014093669.tif 000021
【手続補正３】
【補正対象書類名】明細書
【補正対象項目名】００９１
【補正方法】変更
【補正の内容】
【００９１】
撮影条件情報１０００は、撮影間隔１００１、シャッター速度１００２、Ｆ値（絞り）１００３、ＩＳＯ１００４、コマ数（抽出枚数）１００５等から構成されている。撮影間隔１００１は、前述した計算式を用いて算出された撮影間隔を示す。